(57)【要約】【課題】チャンバー部の内壁の疎水特性が低下した場合でも、ＤＮＡサンプル液を第一の流路からチャンバーを通過して第二の流路に流すことができる化学検査プレートを提供する。【解決手段】回転力を利用して所定の液体が流入する第一の流路と、その液体を排出するための第二の流路と、別の液体が流入する第三の流路とが接続された円筒チャンバーにおいて、前記円筒チャンバーの内壁の高さを、前記第一の流路口の前記第三の流路口側の壁から前記円筒チャンバーの中心を結ぶ直線を引き、この直線から所定の角度までの範囲を前記第一の流路の高さとし、それ以外は前記第一の流路の高さよりも高くした化学検査プレート。【選択図】図４
2008215982.tif 000002
【特許請求の範囲】
【請求項１】
回転力を利用して所定の液体を送り込むための第一の流路と、
前記第一の流路に第一の接続口を介して接続され前記所定の液体を保持するための円筒チャンバーと、
前記円筒チャンバー内で前記第一の接続口と対抗する位置に第二の接続口を介して設けられた第二の流路と、
前記円筒チャンバー内で前記回転力の方向とは逆方向に前記第一の接続口と前記第二の接続口との間に第三の接続口を介して設けられた第三の流路とからなる化学検査プレートにおいて、
前記円筒チャンバーの内壁の高さを、前記第一の接続口の前記第三の接続口側の壁から前記円筒チャンバーの中心を結ぶ直線を引き、この直線から所定の角度までの範囲を前記第一の流路の高さとし、それ以外は前記第一の流路の高さよりも高くした化学検査プレート。
【請求項２】
前記所定の角度は、２８度から５５度までとした請求項１に記載の化学検査プレート。
【請求項３】
前記円筒チャンバーの内径は略２ｍｍとし、最大高さは略２００μｍとした請求項１に記載の化学検査プレート。
【請求項４】
前記第一の流路の幅は略０．１ｍｍとし、高さは略８０μｍとした請求項１に記載の化学検査プレート。
【発明の詳細な説明】
【技術分野】
【０００１】
本発明は、例えばＤＮＡやタンパクその他の生態サンプル液を遠心力でプレート内部のチャンバーに移送し、計測する化学検査プレートに関するものである。
【背景技術】
【０００２】
一般的な生体サンプルを考えた場合、大きくはＤＮＡとタンパクが存在している。そして、近年、分子生物学の急速な進展によって、様々な疾患において遺伝子の関与がかなり正確に理解されるようになり、遺伝子をターゲットにした医療に注目が集まるようになってきている。
【０００３】
ＤＮＡに関しては、現在ＳＮＰｓ（ｓｉｎｇｌｅ  ｎｕｃｌｅｏｔｉｄｅ  ｐｏｌｙｍｏｒｐｈｉｓｍの略で「１塩基多型」と一般に訳されており、遺伝子における１暗号（１塩基）の違いの総称である。）が注目されている。タンパク質は、細胞、組織、生体液中に存在し、生体活動の調節、細胞へのエネルギー供給、重要な物質の合成、生物構造体の維持、さらには細胞間でのコミュニケーションや細胞内情報伝達に関与している。現在では、タンパク質が様々な環境や、相互作用する他のタンパク質の存在、タンパク質が受けた修飾の程度や種類に応じて、複数の機能を有することが明らかになってきている。
これらの遺伝子情報を得る測定手段のひとつとして、キャピラリー電気泳動を用いた化学検査プレートがある（例えば特許文献１を参照）。電気泳動測定方法では、生体サンプル、分析物、緩衝剤、及び試薬等の液体を化学検査プレートに載せ、前記液体を移動させた際に得られる輸送反応を検出して、該サンプルの分析、判別、判定等を行う。
【０００４】
図９〜図１４を用いてＤＮＡサンプルのＳＮＰｓ（１塩基多型）の有無を判別する従来例を説明する。
【０００５】
図９で示す断面Ａ−Ａを現したのが図１０である。化学検査プレート１には図１４の流路パターン２が、図１３に示すように軸心５を中心に放射線状に形成されている。化学検査プレート１の外形は８ｃｍ四方の正方形で４角のうち３角にはコーナーＲが設けられ、残りの１角は面取りがされている。さらに位置決め穴４を設けており、前記面取りと合わせて、外形を非対称にして流路パターンの場所が特定できる。
【０００６】
図１０において化学検査プレート１のプレート基板５６はアクリル系樹脂で厚みは２ｍｍである。流路形成面には多数の溝が彫られており、これが流路として機能する。さらに厚さ５０μｍのアクリル製フィルム２７を接着することで密閉流路が形成されている。
【０００７】
そしてアクリル系樹脂の表面は接触角θ0が９０度以上になるよう疎水処理されている。またアクリル製フィルム２７も疎水処理されている。これは粘性係数の異なる生体サンプル液と緩衝剤の流路内流れを制御するために重要な処置である。
【０００８】
緩衝剤であるＤＮＡコンジュゲート液３１は図１４に示す緩衝剤注入口６から注入し、緩衝剤注入部７は注入された緩衝剤を一旦保持するための注入部である。同様にサンプル注入口８はＤＮＡサンプル液３２の注入口、サンプル注入部９は注入されたＤＮＡサンプル液を一旦保持するための注入部である。
【０００９】
正電極部１２、負電極部１３は、流路１４を介して接続され、さらには流路１ ０ ， １ １ により緩衝剤注入部７とも接続されている。チャンバー部１６は、流路１５によりサンプル注入部９と接続されている。
【００１０】
サンプル保持部２０は、流路高さが８０μｍで流路幅が１００μｍの流路１７と、流路高さは８０μｍで流路幅が２００μｍの流路１８により、チャンバー部１６と接続されている。チャンバー部１６の高さは２００μｍであり、図１０の断面Ａ−Ａに示すように、流路１５（流路高さ８０μｍ、流路幅１００μｍ）および流路１７と比較して深い形状となっている。
【００１１】
図１４の通りバッファ部２１は、流路１７、流路１８、流路１９、流路５４、流路５５により、チャンバー部１６、サンプル保持部２０とそれぞれ接続される。またバッファ部２１は、流路２２とつながっているサンプル注入部９によって空気抜きができる。
【００１２】
緩衝剤は、緩衝剤注入部７、流路１０、流路１１、正電極部１２、負電極部１３、流路１４で構成される閉じた流路内を流れており、以降、これらの連結した流路を緩衝剤流路と呼ぶことが有る。また生体サンプル液は、サンプル注入部９、流路１５、チャンバー部１６、流路１７、流路１８、流路１９、サンプル保持部２０、流路５５、バッファ部２１、流路２２で構成される流路内を流れており、これらの連結した流路を以降サンプル流路と呼ぶ場合が有る。緩衝剤流路とサンプル流路とはサンプル定量分取部２３で合流し、このサンプル定量分取部２３において定量されたＤＮＡサンプルを実際に判別する。
【００１３】
次にサンプル注入口８から注入したＤＮＡサンプル液３２をサンプル定量分取部２３まで移送する一連の動きを、図１１、図１２、図１３を用いて説明する。
【００１４】
まず１マイクロリットルのＤＮＡサンプル液３２を、ピペッター等により化学検査プレートのサンプル注入口８からサンプル注入部９へ注入する。同じく３マイクロリットルのＤＮＡコンジュゲート液３１を緩衝剤注入口６から緩衝剤注入部７に注入する。この状態が図１１の状態ａである。
【００１５】
次に化学検査プレート１の回転部固定用穴３とモーター軸（図省略）と勘合させながら、化学検査プレート１をモーターと固定し、軸芯５の周りに図１２の回転プロファイルに従い回転させる。定常時の回転数は２０００ｒｐｍで、回転方向５７は図１３にて反時計回りである。
【００１６】
ＤＮＡサンプル液３２とＤＮＡコンジュゲート液３１は回転による遠心力で外周方向へと移動する。その様子を表したのが図１１の状態ｂ、状態ｃである。回転開始から２分後にＤＮＡサンプル液３２、ＤＮＡコンジュゲート液３１とも流路の中を動かなくなる（図１１の状態ｄ）。このときＤＮＡサンプル液３２はサンプル保持部２０まで達するが、サンプル保持部２０には空気抜き用の穴が無く、サンプル保持部２０に残った空気３４は抜けることなく加圧された状態になる。
【００１７】
次に回転を急停止する（例えば２秒で２０００ｒｐｍより停止）。するとサンプル保持部に存在していたＤＮＡサンプル液３２は遠心力がなくなったため空気の圧力により流路１８へ逆流し始め流路１９を通って定量分取部２３とバッファ部２１に流れ込む（図１１の状態ｅ）。特に定量分取部２３では充填されたＤＮＡサンプル液とＤＮＡコンジュゲート液３１と接する（図１１の状態ｆ）。
【００１８】
そして化学検査プレート１を中速回転にて数秒間もう一度回転させる。遠心力によりバッファ部２１に入っていたＤＮＡサンプル液３２が流路５４を通り、チャンバー１６に戻り始める（図１１の状態ｇ、図１１の状態ｈ）。回転を停止することにより、不要なＤＮＡサンプル液はチャンバーに廃棄され、ＳＮＰｓの判定を行うための最終試料を定量分取部に残存することができる（図１１の状態ｉ）。
【００１９】
次に電気泳動を行う。正電極部１２と負電極部１３にそれぞれ電極を挿入し数百ボルトの電圧を印加すると定量分取部２３に残存したＤＮＡサンプル液３２は流路１４の中を正電極部１２の方向へ泳動する。その泳動を蛍光検出することでＳＮＰｓが判別できる。
【特許文献１】特開２００６−２２０５３１号公報
【発明の開示】
【発明が解決しようとする課題】
【００２０】
しかしながら、前記従来の構成では、化学検査プレート１成形後の疎水処理工程で微小な流路やチャンバーに処理液が均等に浸透しないため、ＤＮＡサンプル液３２を保持するチャンバー部１６内の疎水特性が低下する。化学検査プレート１を樹脂成形するとき使う離型剤と疎水処理剤との組み合わせで疎水特性が低下することもある。化学検査プレート１の流路とチャンバー部１６を切削加工で形成することもあるが、加工時に用いる切削油の種類や加工時の表面粗さのバラツキによって疎水特性が低下することもある。
【００２１】
上述した疎水特性が低下したときに回転を行うと、流路１５から流れてきたＤＮＡサンプル液３２は疎水処理不十分により生じる表面張力でチャンバー部１６内壁部を伝い始める。内壁部を伝うＤＮＡサンプル液３２には遠心力に加えて、回転方向５７と反対向きに慣性モーメント６０が作用し、ＤＮＡサンプル液３２は回転方向５７と反対方向のチャンバー部１６の内壁を伝いながら遠心方向に移動する。このＤＮＡサンプル液３２の移動方向に流路５４があり、本来流れては困る流路５４に流れてしまう課題を有していた。流路５４にＤＮＡサンプル液が流れると、本来のサンプル液移送プロセスより早い段階で定量分取部２３にＤＮＡサンプル液３２が流入してしまい、正確な化学検査が出来ない。
【００２２】
ところで化学検査プレート１に形成されたチャンバー部１６は微小であって、化学検査プレート１使用前に接触角θ0測定で疎水特性を計測することは難しい。ここでプレート基板５６の疎水特性と接触角θ0の関係を説明しておく。液体（ここではＤＮＡサンプル液）と固体（ここではプレート基板）が接するとき、これらの表面がある角度をなす。この角度が接触角θ0であり、θ0＜９０度なら疎水特性が低下し親水性になる。θ0＞９０度で疎水特性を持つ。
【００２３】
一方で抜き取り検査にてＤＮＡサンプル液３２を用いて化学検査プレート１を事前テストすると、化学検査プレートの流路とチャンバー部１６はＤＮＡサンプル液３２で濡れてしまうためテスト前と同じ疎水状態を保つことができず、化学検査プレート１を再利用できない課題もある。従って成形した化学検査プレート１のロットについて、抜き取り検査で疎水特性が低下していると判明すればロット全部を廃棄することになる。以降に、図を用いて課題を詳細説明する。
【００２４】
図８は、図１４におけるチャンバー近傍領域５３につき、チャンバー部１６の疎水特性が適切処理されたときのＤＮＡサンプル液３２の流れ、およびＤＮＡサンプル液３２に加わる力を表した模式図である。なお図８は図１１の状態ｂに対応する。ＤＮＡサンプル液は回転による遠心力５９と、回転方向５７と反対向きに生じる慣性モーメント６０による合成力６２が作用するため、ＤＮＡサンプル液は合成力の方向に沿って流れ、チャンバー部の下流側内壁部に到達したあとは内壁部に沿って流路１７に向かう。
【００２５】
図７はチャンバー部の疎水性が低下したときのＤＮＡサンプル液の流れ、力を表した模式図である。疎水性が低下して生じる表面張力により、流路１５とチャンバー部１６の接合部に到達したＤＮＡサンプル液３２は二つの流れ６３、流れ６４となりチャンバー部の内壁を伝い始める。ＤＮＡサンプル液３２に作用する合成力６２は慣性モーメント６０側に傾斜しているため、慣性モーメント６０と反対方向の流れ６４は表面張力と慣性モーメント６０が釣り合う位置で流れが留まり、一方で流れ６３は慣性モーメント６０と表面張力がほぼ同方向なので流れが成長して、流れてはならない流路５４に流れてしまう。
【００２６】
以降、ＤＮＡサンプル液３２がチャンバー部１６から流路５４に流れる課題を逆流現象５８と呼ぶ。この逆流現象５８は回転数Ｎが低速になるほど顕著になる。その理由を以下に示す。単位長さ当たりの表面張力をγ、接触角をθ0、液面のふち長さをＬ、回転数Ｎから求まる角速度をω、停止状態から回転数Ｎになるまでの時間をΔＴ、軸心５から半径ｒの位置に微小な質量ｍのＤＮＡサンプル液３２があるとしたとき、慣性モーメント６０はＭ＝ｍ×ｒ2×ω／ΔＴ、遠心力５９はＦ＝ｍ×ｒ×ω2になる。ＤＮＡサンプル液３２がチャンバー部１６の内壁を伝わろうとする表面張力はＦ＝γ×ｃｏｓθ0×Ｌである。したがって、表面張力は角速度ωに依存しないが慣性モーメントは角速度ωに比例して減少し、遠心力５９は角速度ωの２条に比例するため、遠心力５９は慣性モーメント６０と比較して回転数Ｎが小さくなると急激に減少する。したがって回転数Ｎが低下すると、遠心力５９に対して慣性モーメント６０が大きくなり、図７に示す逆流現象５８が顕著となる。
【００２７】
表１は、化学検査プレート１のチャンバー部１６の内壁の接触角θ0と前記逆流現象５８の発生有無を検証した結果であり、接触角θ0≦７０度の条件で逆流現象５８が発生する。
【００２８】
【表１】
2008215982.tif 000003
【００２９】
表面張力はＦ＝γ×ｃｏｓθ0×Ｌであり、接触角θ0が小さいほど表面張力は大きくなり、チャンバー内壁を伝う傾向が顕著になる。
【００３０】
本発明は、前記従来の課題を解決するもので、チャンバー部１６内壁の疎水特性が低下した場合でも、ＤＮＡサンプル液３２を流路１５からチャンバー１６を通過して流路１７に流すことができる化学検査プレート１を提供することを目的とする。
【課題を解決するための手段】
【００３１】
前記従来の課題を解決するために、本発明の化学検査プレートは、回転力を利用して所定の液体を送り込むための第一の流路と、前記第一の流路に第一の接続口を介して接続され前記所定の液体を保持するための円筒チャンバーと、前記円筒チャンバー内で前記第一の接続口と対抗する位置に第二の接続口を介して設けられた第二の流路と、前記円筒チャンバー内で前記回転力の方向とは逆方向に前記第一の接続口と前記第二の接続口との間に第三の接続口を介して設けられた第三の流路とからなる化学検査プレートにおいて、前記円筒チャンバーの内壁の高さを、前記第一の接続口の前記第三の接続口側の壁から前記円筒チャンバーの中心を結ぶ直線を引き、この直線から所定の角度までの範囲を前記第一の流路の高さとし、それ以外は前記第一の流路の高さよりも高くしたことを特徴としたものである。
【発明の効果】
【００３２】
以上のように本発明の化学検査プレート１によれば、チャンバー部１６の内部の疎水特性が低下した場合でも、ＤＮＡサンプル液３２が本来流れてはならない流路５４に流れることなく、ＤＮＡサンプル液が流路１５からチャンバー１６を通過して流路１７に流れる化学検査プレートを提供することが出来る。
【発明を実施するための最良の形態】
【００３３】
以下に、本発明の化学検査プレートの実施の形態を図面とともに詳細に説明する。
【００３４】
（実施の形態１）
以下に本発明の実施の形態１について図１〜図６を用いて説明する。
【００３５】
まず化学検査プレート１の概要を説明する。図１は本発明を用いた化学検査プレート１であり、図１中の破線で囲った流路パターン２が軸心５を中心に放射線状に複数個配置されている。化学検査プレート１の外形は８ｃｍ四方の正方形で４角のうち３角にはコーナーＲが設けられ、残りの１角は面取りがされている。さらに位置決め穴４を設けており、前記面取りと合わせて、外形を非対称にして流路パターン２の場所が特定できる。
【００３６】
図５は流路パターン２の拡大図であり、図６は図５で定義した断面Ｂ−Ｂについて断面図である。図2は、図５中において破線で囲ったチャンバー近傍領域５３を表したもので形状寸法を説明する図である。図３は同じくチャンバー近傍領域５３について、ＤＮＡサンプル液３２に加わる力を表した図である。図４はチャンバー近傍領域５３を三次元で表した斜視図である。図４の毛細管力発生領域７０は、ＤＮＡサンプル液３２が流路１５からチャンバー部１６に進行したとき、慣性モーメント６０に逆らって流路５４に流れず流路１７に進むための力の源になっている。
【００３７】
そして本発明の構成要素であるチャンバー部１６は直径２ｍｍで高さ２００μｍ、流路１５、流路１７、流路５４は、いずれも流路幅が１００μｍで流路高さは８０μｍである。化学検査プレート１の板厚方向については、図６のように、アクリル系樹脂で厚みは２ｍｍのプレート基板５６に厚さ５０μｍのアクリル製フィルム２７に接着することで密閉流路が形成されている。化学検査プレート１の回転数は２０００ｒｐｍで、図１に示す通り反時計回りである。その他については従来技術と同様なので割愛する。
【００３８】
次に毛細管力発生領域７０の形状について説明する。液体は表面張力を持っており、狭い空間なら、加圧手段無しで液体が自然に流れる特性があり、これを毛細管現象あるいは毛細管力６１と呼ぶ。狭い空間の大きさとしては１ｍｍ以下と言われている。図４の三次元斜視図に示す通り、毛細管力発生領域７０の高さと流路１６の高さは８０μｍと同じであり、狭い空間なので毛細管力６１が発生する形状となっている。図６おいて、アクリル製のプレート基板５６で破線の略Ｌ字が囲った領域が毛細管力発生領域７０である。前記毛細管発生領域７０は流路１５と接続しており、流路の高さは同じである。
【００３９】
再び図２において、流路１５とチャンバー部１６の接続部で回転方向５７と反対側の点を始点７４とし、もう一方の点を接続点７８とする。始点７４から、円筒形状のチャンバー中心７２を結ぶ直線７６を引く。そして始点７４から前記直線７６から所定の角度θ1なる傾斜角７３で直線７７を引き、前記直線７７とチャンバーの円筒壁面との交点を終点７５として定義する。よって図2において、始点７４から終点７５まで結んだ直線と、終点７５から接続点７８までチャンバー部１６の壁面に沿った円弧で構成される概略閉じられた領域が、毛細管力発生領域７０となる。
【００４０】
続いて毛細管力発生領域７０が逆流現象５８を解決できる力のバランスについて図３を用いて説明する。ＤＮＡサンプル液３２に加わる力は、遠心力５９、慣性モーメント６０、そして毛細管力６１であり、これらの合成されたものが合成力６２になる。
【００４１】
今、たとえば軸心５から流路１５内部の半径ｒの位置にある微小なＤＮＡサンプル液３２の質量をｍ、所定の回転数Ｎから求まる角速度をωとすると、遠心力５９はＦ＝ｍ×ｒ×ω2になる。停止状態から角速度ωに到達する時間をΔＴとすると、慣性モーメント６０はＭ＝ｍ×ｒ2×ω／ΔＴ、毛細管力６１はＦ＝γ×ｃｏｓθ0×Ｌである。ここでＬはＤＮＡサンプル液３２のふちの長さである。なお慣性モーメント６０を構成する慣性力６５は、慣性モーメント６０を前記半径ｒで割り算すれば求まりＦ＝ｍ×ｒ×ω／ΔＴとなる。慣性力６５は軸芯５から前記半径ｒに位置する微小なＤＮＡサンプル液３２の領域を結ぶ直線に垂直で慣性モーメント６０の方向に働く。
【００４２】
毛細管力発生領域７０は流路１５の進行方向からみて回転方向側にあるため、概ね慣性モーメント６０と逆方向となって慣性モーメント６０を弱める効果が有る。したがって毛細管力≧慣性力の範囲ならば、流路１５を進行してきたＤＮＡサンプル液３２は、チャンバー部１６内を流路１７目指して遠心方向に進行するか、回転方向側にチャンバー部の内壁伝いに進行することとなり、流路５４方向に流れることは無い。
【００４３】
表２は、実施の形態１において傾斜角７３のθ1をパラメータにＤＮＡサンプル液３２が流路５４に流れる逆流現象が発生するかを検証した結果である。
【００４４】
【表２】
2008215982.tif 000004
【００４５】
このときの化学検査プレート１の疎水特性が低下していることを想定して、チャンバー部の内壁の接触角θ0は２０度で検証している。表２によれば傾斜角７３のθ1は２８度から５５度の範囲が好適である。傾斜角７３に関して好適な範囲が存在する理由については、傾斜角７３のθ1が５５度以上になると毛細管力発生領域に生じる毛細管力６１のベクトルは慣性モーメント６０と反対方向になるものの幅６９が狭いため毛細管力６１が減少し、慣性力６５を弱めることができない。一方で傾斜角が２８度以下になるときも、毛細管力６１のベクトルが遠心力方向に近づいて慣性力６５を弱めることが出来なくなくなる。
【００４６】
したがって本実施の形態１においては、傾斜角７３のθ1が２８度から５５度の範囲においてＤＮＡサンプル液３２が本来流れてはならない流路５４に流れることなく、ＤＮＡサンプル液３２が流路１５からチャンバー１６を通過して流路１７に流れる化学検査プレート１を提供することが出来る。
【００４７】
なお本実施の形態１は、塑性特性が低下している接触角θ0が２０度で効果があるとともに、接触角θ0が２０〜１００度の範囲でも効果がある。
【産業上の利用可能性】
【００４８】
本発明にかかる化学検査プレートは、プレート基板に形成されたチャンバーの疎水特性が低下したときでもサンプル液を所定の流路に送るものとして有用である。
【図面の簡単な説明】
【００４９】
【図１】本発明の実施の形態１における化学検査プレートの基板外形を示す図
【図２】本発明の実施の形態１においてチャンバー部近傍部の形状、とくに毛細管力発生領域を定義する図
【図３】本発明の実施の形態１においてチャンバー部に到達したサンプル液がチャンバー内を進行して次の流路へ流れていく状態を示す図
【図４】本発明の実施の形態１における化学検査プレートのチャンバー近傍部に関する３次元斜視図
【図５】本発明の実施の形態１における化学検査プレートで、チャンバー近傍部に関する板厚方向の断面Ｂ−Ｂを定義する図
【図６】本発明の実施の形態１における化学検査プレートで、図５で定義したチャンバー近傍部の断面Ｂ−Ｂを示す図
【図７】従来技術における化学検査プレートにおいてチャンバー部に到達したサンプル液が本来流れてはならない流路に流れ込んでいく状態を示す図
【図８】従来技術における化学検査プレートにおいてチャンバー部に到達したサンプル液がチャンバー内を進行して次の流路へ流れていく状態を示す図
【図９】従来技術における化学検査プレートで、チャンバー近傍部に関する板厚方向の断面Ａ−Ａを定義する図
【図１０】従来技術における化学検査プレートで、図９で定義したチャンバー近傍部の断面Ａ−Ａを示す図
【図１１】従来技術における化学検査プレートでサンプル液がサンプル定量分取部まで移送する一連の動きを、サンプル液及び緩衝剤の液流れの時間変化で示す図
【図１２】従来技術における化学検査プレートでサンプル液がサンプル定量分取部まで移送する一連の動きを、時間と基板の回転数で示す図
【図１３】従来技術における化学検査プレートの基板外形を示す図
【図１４】従来技術における化学検査プレートの流路パターンを示す図
【符号の説明】
【００５０】
１ 化学検査プレート
２ 流路パターン
３ 回転部固定用穴
４ 位置決め穴
５ 軸心
６ 緩衝剤注入口
７ 緩衝剤注入部
８ サンプル注入口
９ サンプル注入部
１０ 流路
１１ 流路
１２ 正電極部
１３ 負電極部
１４ 流路
１５ 流路
１６ チャンバー部
１７ 流路
１８ 流路
１９ 流路
２０ サンプル保持部
２１ バッファ部
２２ 流路
２３ 定量分取部
２７ フィルム
３１ ＤＮＡコンジュゲート液
３２ ＤＮＡサンプル液
３４ 空気
５３  チャンバー近傍領域
５４  流路
５５  流路
５６  プレート基板
５７  回転方向
５８  逆流現象
５９  遠心力
６０  慣性モーメント
６１  毛細管力
６２  合成力
６３  流れ
６４  流れ
６５  慣性力
６９  幅
７０  毛細管力発生領域
７２  チャンバー中心
７３  傾斜角θ1
７４  始点
７５  終点
７６  直線
７７  直線
７８  接続点
【図１】
2008215982.tif 000005
【図２】
2008215982.tif 000006
【図３】
2008215982.tif 000007
【図４】
2008215982.tif 000008
【図５】
2008215982.tif 000009
【図６】
2008215982.tif 000010
【図７】
2008215982.tif 000011
【図８】
2008215982.tif 000012
【図９】
2008215982.tif 000013
【図１０】
2008215982.tif 000014
【図１１】
2008215982.tif 000015
【図１２】
2008215982.tif 000016
【図１３】
2008215982.tif 000017
【図１４】
2008215982.tif 000018